(57)【特許請求の範囲】
【請求項１】
計器の中央部に設けた文字板と、この文字板の周囲に配置され、前記文字板の裏側から文字板を照明する照明板と、前記文字板に光を照射する第１の光源と、前記照明板に光を照射する第２の光源と、前記文字板上で回動する指針と、この指針の回動を駆動する内機とを備え、
前記文字板の外周端に、前記照明板の外周端全域にわたった複数のスリットを形成する一方、前記文字板と照明板との間に隙間を設け、
前記文字板は、前記計器の中央部から外周側に向けて広がる光導板と、この光導板の表面の外周側に設けられた文字表示面と、前記内機から突出し前記指針が連結される回動軸が挿通される挿通孔とを備え、前記スリットは前記文字表示面に形成されていることを特徴とする自動車用計器。
【請求項２】
請求項１記載の自動車用計器であって、
前記第１の光源と第２の光源との間に、これらを仕切る遮光壁が設けられていることを特徴とする自動車用計器。
【請求項３】
請求項１又は２記載の自動車用計器であって、
前記文字板が取り付けられるケースと、前記文字板及び照明板を囲む見返し部材とを設け、前記文字板と前記ケース又は見返し部材の少なくとも一方との間に隙間を設けたことを特徴とする自動車用計器。
【請求項４】
請求項１記載の自動車用計器であって、
前記文字表示面の外周側に文字が形成され、前記スリットは前記文字に対応して形成されていることを特徴とする自動車用計器。
【発明の詳細な説明】
【技術分野】
【０００１】
本発明は、スピードメータやエンジン回転計等の自動車用計器に関する。
【背景技術】
【０００２】
自動車用計器においては、意匠向上のために立体性を持たせる工夫がなされている。図５は、特許文献１に記載された立体性を持たせた構造の従来の自動車用計器１００を示す。
【０００３】
図５に示す自動車用計器１００においては、配線板１１１上にケース１１２が取り付けられ、ケース１１２上に文字板１２０が取り付けられている。文字板１２０の周囲には、文字板を囲むリング部材１３０が設けられている。リング部材１３０の周囲には、リング部材１３０及び文字板１２０を囲むように立ち上がった見返し部材１４０が設けられている。文字板１２０及びリング部材１３０は透光性樹脂によって形成される一方、見返し部材１４０は黒色樹脂によって形成されている。又、見返し部材１４０の下部には、リング状の光ガイド１４５が設けられている。光ガイド１４５は見返し部材１４０の下側で光るものである。
【０００４】
文字板１２０には、文字１２１が印刷等によって形成されており、リング部材１３０には、文字１２１に対応した目盛１３１が円周上に等間隔となるように形成されている。配線板１１１の裏側には、内機１５５が取り付けられており、内機１５５に指針１５０が連結されている。指針１５０は文字板１２０の中央部に配置されており、内機１５５の駆動によって文字板１２０上で回転して自動車の走行スピードを指示する。
【０００５】
この自動車計器１００においては、配線板１１１に光源が実装されている。符号１６０は、文字板１２０の下側に配置されて文字板１２０に光を照射する文字板用光源である。又、リング部材１３０の下側には、リング部材１３０に光を照射するリング部材用光源１６１が配置され、光ガイド１４５の下側には、光ガイドに光を照射する光ガイド用光源１６２が配置されている。これらの光源１６０，１６１，１６２は、複数のＬＥＤによって形成されている。
【０００６】
文字板１２０、リング部材１３０及び光ガイド１４５は、それぞれの光源１６０，１６１，１６２が発光することにより光が照射されるため、光った状態となり、文字板１２０の文字１２１，リング部材の目盛１３１及び見返し部材１４０の下側が光ることが可能である。
【先行技術文献】
【特許文献】
【０００７】
【特許文献１】特開２００７−８５９８４号公報
【発明の概要】
【発明が解決しようとする課題】
【０００８】
しかしながら、従来の自動車用計器１００においては、文字１２１及び目盛１３１が光った状態であっても、これらが略同一面で視認されるため、立体的な表示に欠けたものとなっていると共に、光演出効果が乏しく装飾性にも劣るものとなっている。
【０００９】
そこで、本発明は、文字板の立体的な表示が可能であり、光演出効果も大きく装飾性に優れた自動車用計器を提供することを目的とする。
【課題を解決するための手段】
【００１０】
請求項１記載の発明の自動車用計器は、計器の中央部に設けた文字板と、この文字板の周囲に配置され、前記文字板の裏側から文字板を照明する照明板と、前記文字板に光を照射する第１の光源と、前記照明板に光を照射する第２の光源と、前記文字板上で回動する指針と、この指針の回動を駆動する内機とを備え、前記文字板の外周端に、前記照明板の外周端全域にわたった複数のスリットを形成する一方、前記文字板と照明板との間に隙間を設け、前記文字板は、前記計器の中央部から外周側に向けて広がる光導板と、この光導板の表面の外周側に設けられた文字表示面と、前記内機から突出し前記指針が連結される回動軸が挿通される挿通孔とを備え、前記スリットは前記文字表示面に形成されていることを特徴とする。
【００１１】
請求項２記載の発明は、請求項１記載の自動車用計器であって、前記第１の光源と第２の光源との間に、これらを仕切る遮光壁が設けられていることを特徴とする。
【００１２】
請求項３記載の発明は、請求項１又は２記載の自動車用計器であって、前記文字板が取り付けられるケースと、前記文字板及び照明板を囲む見返し部材とを設け、前記文字板と前記ケース又は見返し部材の少なくとも一方との間に隙間を設けたことを特徴とする。
【００１４】
請求項４記載の発明は、請求項１記載の自動車用計器であって、前記文字表示面の外周側に文字が形成され、前記スリットは前記文字に対応して形成されていることを特徴とする。
【発明の効果】
【００１５】
請求項１記載の発明によれば、第１の光源によって文字板が光り、第２の光源によって照明板が光る。文字板の外周端に形成されたスリットは、照明板からの光が透過するため、文字板の光と異なった照明板からの光によって光る。そして、文字板と照明板との間に隙間が形成されているため、文字板が浮き上がったように視認される。これにより、立体的に表示することができる。さらに、文字板上のスリットは、文字板の光と異なった光で光るため、光演出効果が大きくなり、装飾性に優れたものとなる。加えて、スリットが文字板の文字表示面に形成されているため、スリットを明確に視認することができる。
【００１６】
請求項２記載の発明によれば、請求項１の発明の効果を有するのに加えて、第１光源と第２光源との間に遮光壁が設けられているため、第１光源からの光と第２光源からの光が混合することなく、第１光源からの光だけにより文字板が照明される。これにより、文字板をさらに立体的に表示することが可能となる。
【００１７】
請求項３記載の発明によれば、請求項１及び２の発明の効果を有するのに加えて、文字板と、ケース又は見返し部材の少なくとも一方との間に隙間を設けているため、文字板がケース又は見返し部材から浮き上がったように視認される。このため、立体的な表示を行うことができる。
【００１９】
請求項４記載の発明によれば、請求項１の発明の効果に加えて、スリットが文字板の文字表示面に形成された文字に対応して形成されているため、スリットを文字表示面の文字と一緒に視認することができ、スリット及び文字の視認性が向上する。
【図面の簡単な説明】
【００２０】
【図１】本発明の一実施形態の自動車用計器を示す正面図である。
【図２】一実施形態の自動車用計器の断面図である。
【図３】一実施形態の自動車用計器の一部を切り欠いた斜視図である。
【図４】一実施形態の自動車用計器の全体の斜視図である。
【図５】従来の自動車用計器の斜視図である。
【発明を実施するための形態】
【００２１】
以下、本発明を図示する実施形態により具体的に説明する。図１は、本発明の一実施形態の自動車用計器の正面図、図２は、その断面図、図３は、一部を切り欠いた斜視図、図４は、全体の斜視図である。
【００２２】
図１〜図４に示す実施形態は、エンジン回転計に適用された自動車用計器１を示す。自動車用計器１においては、配線板２上にケース３が取り付けられており、ケース３には、文字板４及び照明板５が取り付けられている。配線板２は、硬質系基板によって形成されている。
【００２３】
図２及び図３に示すように、配線板２の下面には、内機９が取り付けられている。内機９は、配線板２を貫通するように突出した回動軸１２を有しており、この回動軸１２に指針１１が取り付けられている。内機９は、回動軸１２を回動させる。そして、回動軸１２の回転によって指針１１が回動する。指針１１は、後述する文字板４の中心部で回動し、この回動によってエンジンの回転数を指示する。
【００２４】
ケース３は、遮光性を備えた樹脂により形成されており、配線板２上に固定されている。ケース３は、計器１の中央部（回動軸１２）を中心として外周方向に向かって三重状の複数の収容凹部２２，２３，２４とを備えている。それぞれの収容凹部２２，２３，２４は、平面から見てリング状に形成されると共に上面が開口された断面Ｕ字形の凹部となっており、下面は配線板２に当接されて支持されている。
【００２５】
内側の収容凹部２２及び中間の収容凹部２３には、文字板４に対して下方から光を照射する第１の光源１７が収容される。第１の光源１７は、収容凹部２２，２３に収容されるように配線板２の上面に実装された複数のＬＥＤによって形成されている。そして、第１の光源１７を構成するそれぞれのＬＥＤが発光することにより、文字板４に対して裏側から光を出射する。これにより、文字板４が光ることができる。
【００２６】
内側の収容凹部２２及び中間の収容凹部２３には、拡散板３４が配置されている。拡散板３４は、文字板４よりも下側に位置するように収容凹部２２，２３の内部に設けられている。拡散板３４を設けることにより、第１の光源１７からの光が拡散される。このため、第１の光源１７から出射した光よりも弱い感じとなって文字板４に照射される。
【００２７】
文字板４は、ケース３上に設けられている。文字板４は、その中央部分がケース３の中央部分と一致するように設けられることにより計器１の中央部に位置している。文字板４は、計器１の中央部から外周側に向けて広がる平面円形の光導板２７を有している。
【００２８】
光導板２７の中央部分には、配線板２上に立ち上がる内周壁２８が形成されている。内周壁２８の上端部には、外周方向に広がる円形板２９が光導板２７と一体に形成されている。光導板２７の全体は、アクリル樹脂等の透光性樹脂によって形成される。
【００２９】
ケース３の内周壁２８は、挿通孔３１を有した円形リング状となっており、挿通孔３１には、内機９から突出した回動軸１２が挿通している。
【００３０】
光導板２７の円形板２９は、ケース３の収容凹部２２，２３を覆うように外周側に向かって広がっており、その外周側の表面が文字表示面３３となっている。この実施形態において、円形板２９は、ケース３における外側の収容凹部２４を覆うまで広がるものではない。
【００３１】
図１に示すように、文字表示面３３には、「０」、「１」、「２」等の文字１５が印刷、刻印等によって形成されている。文字１５は、光導板２７の外周部分に等間隔に形成されており、指針１１は、文字１５の形成領域内を回動する。
【００３２】
ケース３において、外側の収容凹部２４は、文字板４の光導板２７の外周端よりも外周側に位置するように形成されている。すなわち、外側の収容凹部２４は、文字板４の文字表示面３３よりも外周側に位置している。この外側の収容凹部２４の内部には、第２の光源１９が配置される。第２の光源１９は、収容凹部２４に収容されるように配線板２の上面に実装された複数のＬＥＤによって形成されるものである。
【００３３】
照明板５は、外側の収容凹部２４の上部に配置されており、上部の文字板４を照明する。照明板５は、円形リング状に形成されたアクリル樹脂等の透光性樹脂により形成されており、第２の光源１９の上方に位置するように収容凹部２４の内部に設けられている。照明板５としては、透光性を有していればよく、青色、黄色等の着色を施すことが可能である。
【００３４】
外側の収容凹部２４の上部に照明板５が配置されることにより、照明板５は文字板４の外周端、すなわち、文字表示面３３よりも外周側に配置される。従って、照明板５は文字板４における外周側を照明する。また、照明板５は文字表示面３３よりも低い位置となるように配置されており、これにより文字板４の文字表示面３３と照明板５との間に隙間が設けられている。文字板４と照明板５との間に隙間を設けることにより、文字板４が浮き上がったように視認されるため、文字板４を立体的に表示することができる。
【００３５】
外側の収容凹部２４と、これよりも内側に位置している中間の収容部２３との間には、遮光壁３５が設けられている。この実施形態において、遮光壁３５は、外側の収容凹部２４における内側部分の隔壁を収容凹部２４よりも高くなるように延設して文字板４の下面に当接させることにより形成されている。このような遮光壁３５は、照明板５を照射するために外側の収容凹部２４から出射する光と、文字板４を照射するために中間の収容凹部２３から出射する光とが混合しないように仕切るものである。文字板４及び照明板５は、個々の光によって照射されるため、照明板５を照射する光から文字板４を切り離して視認することができ、文字板４を立体的に表示することができる。
【００３６】
図３に示すように、文字板４における文字表示面３３の外周端には、複数のスリット１８が形成されている。スリット１８は、目盛として機能するものであり、図１及び図３に示すように、照明板５の外周端全域にわたってスリット１８が形成される。これによりスリット１８は照明板５に臨んでいる。このように、照明板５にスリット１８が臨むことにより照明板５から出射した光がスリット１８を通過してドライバの眼に入る。すなわち、文字板４に形成されたスリット１８は、文字板４と異なった光で光ることとなり、文字板４の光演出効果が大きくなるため、装飾性に優れたものとなる。
【００３７】
図１及び図４に示すように、この実施形態においては、スリット１８は文字表示面３３の外周側に形成された文字１５に対応するようにして形成されている。このため、スリット１８を文字表示面３３の文字１５と一緒に視認することができ、これらの視認性が向上する。
【００３８】
図２〜図４に示すように、自動車用計器１には、見返し部材１４が設けられている。見返し部材１４は、ケース３からの外周側から立ち上がっており、文字板４及び照明板５を囲んでいる。見返し部材１４は、遮光性が付与された樹脂により形成されており、その内面は、所定の着色が施されている。見返し部材１４は、内部の文字板４と隙間を有するように設けられるものである。このように、隙間を設けることにより、文字板４が見返し部材１４から離れて浮き上がったように視認される。このため、文字板４の立体的な表示を行うことができる。
【００３９】
さらに、図２及び図３に示すように、この実施形態では、文字板４の略全体がケース３から浮き上がった状態でケース３に支持されている。すなわち、文字板４とケース３との間にも隙間が設けられるものであり、文字板４がケース３から離れて浮き上がったように視認される。これによっても、文字板４の立体的な表示を行うことができる。
【００４０】
以上の実施形態において、第１の光源１７によって文字板４が光り、第２の光源１９によって照明板５が光る。このとき、文字板４と照明板５との間に隙間が形成されているため、文字板４が浮き上がったように視認され、文字板４を立体的に表示することができる。又、文字板４のスリット１８に対しては、照明板５からの光が透過するため、文字板４の光と異なった光によってスリット１８が光る。このため、光演出効果が大きくなり、装飾性に優れたものとなる。
【００４１】
さらに、第１光源１７と第２光源１９との間に遮光壁３５が設けられることにより、これらの光源１７，１９からの光が混合することない。従って、文字板４は、第１光源１７からの光だけにより照明されるため、文字板４をさらに立体的に表示することができる。
【００４２】
さらに、又、文字板４と、ケース３及び見返し部材１４との間に隙間を設けているため、文字板４がケース３や見返し部材１４から浮き上がったように視認され、立体的な表示を行うことができる。
【００４３】
又、さらに、スリット１８が文字板４の文字表示面３３に形成されることにより、スリット１８を明確に視認することができる。加えて、スリット１８が文字板４の文字１５に対応して形成されているため、スリット１８と文字１５とを一緒に視認することができ、これらの視認性が向上する。
【００４４】
本発明は、以上の実施形態に限定されることなく種々変形が可能である。例えば、文字板４とケース３との間に隙間を設けるか、文字板４と見返し部材１４との間に隙間を設けるかのいずれかとしてもよく、この場合にも文字板４に立体感を付与することができる。
【符号の説明】
【００４５】
１  自動車用計器
３  ケース
４  文字板
５  照明板
９  内機
１１  指針
１２  回動軸
１４  見返し部材
１５  文字
１７  第１の光源
１８  スリット
１９  第２の光源
２２，２３，２４  収容凹部
２７  光導板
３１  挿通孔
３３  文字表示面
３５  遮光壁
【図１】
0005412212.tif 000002
【図２】
0005412212.tif 000003
【図３】
0005412212.tif 000004
【図４】
0005412212.tif 000005
【図５】
0005412212.tif 000006